(57)【要約】【課題】  店舗の形態や客層に合わせて最適なＩＣＭ（情報・宣伝広告）を再生することのできるカラオケ装置を提供する。【解決手段】配信センタにおいて、複数のＩＣＭデータ（情報・宣伝広告データ）を共通データ，ボックス向けデータ，ナイト向けデータ，家庭向けデータに分類して記憶しておく、通信カラオケ装置などの端末装置が配信センタにダウンロードの要求をするとき、その端末装置が設置されている店舗形態を送信して、その形態に適合したＩＣＭデータのみをダウンロードする。また、端末装置でＩＣＭを再生するとき、そのときの客層などに基づいて最適なＩＣＭを検索して再生する。さらに、配信センタからダウンロードされたＩＣＭデータを端末装置側で再度加工（編集）して再生する。これにより、常に最適なＩＣＭを再生することができる。【選択図】  図２
2006133805.tif 000002
【特許請求の範囲】
【請求項１】
情報や宣伝広告を再生する情報サービスデータを配信センタからダウンロードして上映するカラオケ装置において、
前記配信センタに対して自己の装置種類データを送信する手段と、
該自己の装置種類データに対応して選択された情報サービスデータを受信する手段と、
受信した情報サービスデータを該情報サービスデータの種類を示す選択データと対応づけて複数記憶する記憶手段と、
選択データを指示する選択データ指示手段と、
該指示された選択データに基づいて前記記憶手段から対応する情報サービスデータを検索する検索手段と、
該検索された情報サービスデータを再生する再生手段と、
を備えたことを特徴とするカラオケ装置。
【請求項２】
情報や宣伝広告を再生する情報サービスデータを配信センタからダウンロードして上映する端末装置において、
前記配信センタに対して自己の装置種類データを送信する手段と、
該自己の装置種類データに対応して選択された情報サービスデータを受信する手段と、
受信した情報サービスデータを該情報サービスデータの種類を示す選択データと対応づけて複数記憶する記憶手段と、
選択データを指示する選択データ指示手段と、
該指示された選択データに基づいて前記記憶手段から対応する情報サービスデータを検索する検索手段と、
該検索された情報サービスデータを再生する再生手段と、
を備えたことを特徴とする端末装置。
【発明の詳細な説明】
【技術分野】
【０００１】
この発明は、装置の立ち上げ時やカラオケ曲が演奏されていない曲間に情報やＣＭなどを再生する情報サービス（ＩＣＭ(Interactive Commercial Message)）データを再生するカラオケ装置および端末装置に関する。
【背景技術】
【０００２】
カラオケボックスなどに設置されるカラオケ装置は、顧客が来店した立ち上げ時、カラオケ曲が演奏されていない曲間、カラオケ装置の終了時などにＣＭや情報などを再生するようにしているものがある。
【発明の開示】
【発明が解決しようとする課題】
【０００３】
ところで、ＣＭや情報は客層や端末のタイプ（店舗の形態）を考慮して的確なものを再生しなければその効果が半減してしまう。たとえば、中高年の客が多い店舗でアイドル系の新曲情報を再生しても全くリクエスト向上の効果がないばかりか顧客に悪い印象を与えてしまう場合がある。
【０００４】
このため、客層や端末タイプに合わせて種々のＩＣＭデータが作成されるが、各端末装置がこの種々のＩＣＭデータを全てダウンロードしたのでは、データ量が膨大であるため通信時間が掛かるうえ大きな記憶装置が必要となる問題点があり、さらに、全てのデータを使用するわけではないためダウンロードが無駄になる欠点があった。
【０００５】
また、配信センタにおいても、端末毎の細かい事情に合わせて多種多様なＩＣＭデータを全て揃えて各端末装置（カラオケ装置）からのダウンロードに応じることは、記憶・通信の負荷が非常に大きいという問題点があった。
【０００６】
この発明は、端末のタイプ毎に別のＩＣＭデータをダウンロードすることにより、また、ダウンロードしたＩＣＭデータを端末の状況に合わせて再編集することにより、効率的に最適なＩＣＭを再生することのできるカラオケ装置および端末装置を提供することを目的とする。
【課題を解決するための手段】
【０００７】
この発明は、情報や宣伝広告を再生する情報サービスデータを配信センタからダウンロードして上映する装置において、前記配信センタに対して自己の装置種類データを送信する手段と、該自己の装置種類データに対応して選択された情報サービスデータを受信する手段と、受信した情報サービスデータを該情報サービスデータの種類を示す選択データと対応づけて複数記憶する記憶手段と、選択データを指示する選択データ指示手段と、該指示された選択データに基づいて前記記憶手段から対応する情報サービスデータを検索する検索手段と、該検索された情報サービスデータを再生する再生手段と、を備えたことを特徴とする。
【０００８】
この発明では、ＩＣＭデータを配信センタからダウンロードするとき、配信センタに対して自己の装置種類データを送信し、自己にあったもののみをダウンロードする。自己の装置種類データとは、たとえば、この装置がどのような店舗に設置されているかを示すデータを用いる。すなわち、カラオケボックスと飲食店では客層が異なるため、それぞれその客層に適合したＩＣＭデータのみをダウンロードする。これにより、不要なデータをダウンロードすることがなくなり、ダウンロードが効率的になる。
【０００９】
また、この発明では、情報や宣伝広告（ＩＣＭ）を再生するとき、再生するＩＣＭデータを抽出するための選択データを指示する。この指示された選択データに基づいて適当なＩＣＭデータを検索し、これを再生する。選択データとしては、情報・宣伝広告のジャンルや若者向き，女性向きなどのターゲットなどを用いる。これにより、そのときの客層に適したＩＣＭを選択して再生することができる。
【発明の効果】
【００１０】
以上のようにこの発明によれば、通信カラオケ装置が設置されている店舗の形態に合わせて、適当なＩＣＭデータのみをダウンロードするようにしたことにより、各通信カラオケ装置の客層に適合したＩＣＭデータのみをダウンロードすることができ、ダウンロードを効率的にすることができる。また、この発明によれば、ＩＣＭを再生するとき、選択データによって適当なものを検索するようにしたことにより、そのときの客層に適したＩＣＭを選択して再生することができる。
【００１１】
このように、この発明では、ＩＣＭデータを配信センタからダウンロードするときに予め装置種類データに基づく絞り込みを行っておき、そのなかから再生時の検索を行う。これにより、無駄なデータをダウンロードすることがなくなるうえ、予め絞り込まれているため、検索も容易になるという利点がある。
【発明を実施するための最良の形態】
【００１２】
図１はこの発明の実施形態である通信カラオケ装置を含む通信カラオケ配信システムの一部を示す図である。この図は、配信センタ１とカラオケボックスＢとの接続形態を示している。配信センタ１には記憶装置２が接続されている。記憶装置２は大容量のハードディスク装置などで構成されており、図２に示すような楽曲データファイルやＩＣＭデータファイルが設定されている。ここで、ＩＣＭデータとは、カラオケ装置において、カラオケ曲が演奏されていないとき（曲間）に情報や宣伝広告(Information and Commercial Message:以下ＩＣＭという）を再生するためのデータである。カラオケボックスＢにおいては、ローカルホスト４が通信回線（ＩＳＤＮ回線）を介して配信センタ１と接続される。ローカルホスト４はカラオケボックスＢの店舗に設置されている複数台の通信カラオケ装置７を統括管理する装置であり、配信センタ１からダウンロードされた楽曲データを各通信カラオケ装置７に配信するとともに、配信センタ１からダウンロードされたＩＣＭデータを編集したのち、各通信カラオケ装置７に配信する。この編集のためローカルホスト４には入力装置５が接続されている。また、ローカルホスト４には店内モニタ６が接続されている。店内モニタ６はロビーや店頭に設置されるモニタであり、ローカルホスト４が自らＩＣＭを再生し、この店内モニタ６に客寄せのために表示する。
【００１３】
なお、図１の構成ではローカルホスト４が配信センタ１と通信する構成になっているが、通信カラオケ装置が１台のみ設置されている店舗では通信カラオケ装置が直接配信センタと通信し、ＩＣＭデータの編集も通信カラオケ装置が実行するものとする。
【００１４】
図２は配信センタ１に接続されている記憶装置２の一部構成を示す図である。記憶装置２には楽曲データファイルおよびＩＣＭデータファイルが設定されている。楽曲データファイルには、約１万曲のカラオケ曲の楽曲データが記憶されている。また、ＩＣＭデータファイルは、共通データファイルのほか、端末形態（通信カラオケ装置が設置されている場所の形態）に応じてボックス向けデータファイル，ナイト向けデータファイルおよび家庭向けデータファイルの４種類に分割されている。ボックス向けデータは、カラオケボックスなどのカラオケ専門の店舗向けのデータであり、主として曲目紹介情報や種々の割引サービスの広告などのデータからなっている。ナイト向けデータは、スナック，バーなどの夜間営業の飲食店向けのデータであり、主として酒など商品広告のデータからなっている。家庭向けのデータは、家庭で利用されやすい商品の広告や天気予報などの情報データからなっている。端末装置（通信カラオケ装置やローカルホスト）からＩＣＭデータのダウンロードを要求されたとき、その通信カラオケ装置の端末形態に応じてＩＣＭデータを選択してダウンロードする。すなわち、カラオケボックスの端末装置からダウンロードの要求を受けた場合には、共通データとボックス向けデータをダウンロードする。また、スナックやバーの端末装置からダウンロードの要求を受けた場合には、共通データとナイト向けデータをダウンロードする。また、家庭に設置されている通信カラオケ装置からダウンロードの要求を受けた場合には共通データおよび家庭向けデータをダウンロードする。
【００１５】
また、共通データと家庭向けデータを除くＩＣＭデータ（この例ではボックス向けデータおよびナイト向けデータ）は、完成データと編集可データに分類される。完成データはＩＣＭを再生するための全てのデータを含んでおり、そのまま再生することがＩＣＭを再生できるものであり、編集可データはＩＣＭを再生するためのデータのうち一部が欠けている（空欄になっている）ものであり、端末装置側で前記空欄部分を自店に適合するように補って再生するものである。家庭向けデータおよび一般家庭にも配信される共通データは、編集の余地がないため全て完成データである。
【００１６】
また、さらに、各ＩＣＭデーのヘッダ（図４参照）には、そのデータの種類などを示す選択データが書き込まれている。選択データはジャンルデータおよびタイプデータからなっている。ジャンルデータはＩＣＭの種類を示すデータであり、情報，商品広告，イベント広告などの種類を識別するデータからなっている。タイプデータはＩＣＭのターゲットを示すデータであり、若者向き，中高年向き，女性向きなどを示すデータからなっている。通信カラオケ装置がＩＣＭを再生するときこの選択データに基づいて適当なＩＣＭデータを選択する。
【００１７】
図３はこの発明の実施形態であるカラオケ装置のブロック図である。このカラオケ装置は、音源や音声データ処理部を駆動してカラオケ演奏音を発生するいわゆる音源カラオケ装置である。音源や音声データ処理部の動作はカラオケ演奏用の楽曲データに基づいて制御される。また、カラオケ演奏音の発生と同期して歌詞や背景映像がモニタ２９に表示される。楽曲データはハードディスク１７に約１万曲分が記憶されている。また、ハードディスク１７には楽曲データのほか、ＩＣＭデータが記憶されている。カラオケ装置全体の動作を制御するＣＰＵ１０には、バスを介してＲＯＭ１１，ＲＡＭ１２，ハードディスク（ＨＤＤ）１７，通信制御部１６，コマンダ受信部１３，操作部１４，表示部１５，音源１９，音声データ処理部２０，ＤＳＰ２１，文字パターン展開部２６，ＬＤチェンジャ２７および表示制御部２８が接続されている。
【００１８】
ＲＯＭ１１には、システムプログラム，カラオケ演奏プログラム，ＩＣＭ再生プログラム，ローダおよび文字パターンデータが記憶されている。システムプログラムは、この装置の基本動作を制御するプログラムである。カラオケ演奏プログラムは、楽曲データに基づいて音源１９，音声データ処理部２０，ＤＳＰ２１などを駆動し、カラオケ演奏音を発生するとともに歌詞の表示や背景映像の再生を制御するプログラムである。ＩＣＭ再生プログラムはＩＣＭデータを読み出しＩＣＭを再生するプログラムである。ローダは、配信センタやローカルホストから楽曲データやＩＣＭデータをダウンロードするためのプログラムである。文字パターンデータは、コード情報として与えられる歌詞，曲名や情報の内容などを文字パターンに展開するためのデータである。この文字パターンデータは文字パターン展開部２６が歌詞データに基づいて歌詞を表示するときやＩＣＭデータに基づいてＩＣＭの文字データを表示するときに用いられる。ＲＡＭ１２にはハードディスク１７から読み出した楽曲データを記憶する楽曲データ記憶エリア１２ａおよびハードディスク１７から読み出したＩＣＭデータを記憶するＩＣＭデータ記憶エリア１２ｂが設定される。
【００１９】
通信制御部１６は通信回線を介して配信センタ１やローカルホスト４と交信し、楽曲データやＩＣＭデータをダウンロードするためのコントローラである。通信制御部１６はＤＭＡ回路を内蔵しており、ダウンロードされた楽曲データやＩＣＭデータをＣＰＵ１０を介さずに直接ハードディスク１７に書き込むことができる。ハードディスク１７には約１万曲の楽曲データを記憶した楽曲データファイル１７ａおよび複数のＩＣＭデータを記憶したＩＣＭデータファイル１７ｂが設定されている。
【００２０】
コマンダ受信部１３はコマンダ３０から送られてくる赤外線信号を受信してデータを復元する。コマンダ３０は、曲番号登録キーやテンキーなど各種キースイッチを備えている。利用者がこれらのキースイッチを操作すると、コマンダ３０は操作されたキースイッチに対応する赤外線コード信号を出力する。コマンダ受信部１３はこの赤外線コード信号を受信してＣＰＵ１０に伝達する。操作部１４はカラオケ装置のフロントパネルに設けられており、上記コマンダ３０と同様のモード選択スイッチやテンキーなどを含んでいる。表示部１５も操作部１４と同様カラオケ装置のフロントパネルに設けられており、現在演奏中の曲番号や予約曲数などを表示するＬＥＤマトリクス表示器を含んでいる。
【００２１】
音源１９は、楽曲データに含まれる楽音データに基づいて楽音信号を形成する。音声データ処理部２０は、楽曲データに含まれる音声データに基づいてバックコーラスなどの音声信号を再生する。音源１９が形成した楽音信号および音声データ処理部２０が再生した音声信号はＤＳＰ２１に入力される。ＤＳＰ２１は、これら楽音信号および音声信号に対してリバーブ，エコーなどの効果を付与する。ＤＳＰ２１が付与する効果の種類や程度は、楽曲データに含まれているＤＳＰ制御データに基づいて制御される。効果が付与された楽音信号，音声信号はＤ／Ａコンバータ２３でアナログ信号（カラオケ演奏音）に変換されたのちアンプ２３に出力される。アンプにはマイク２４から歌唱音声信号も入力される。アンプ２３はカラオケ演奏音と歌唱音声信号をミキシング・増幅してスピーカ２５を駆動する。また、音声データ処理部２０は、ＩＣＭ再生プログラムが動作しているとき、ＩＣＭデータに含まれるアナウンス用の音声データを再生する。
【００２２】
また、文字パターン展開部２６は、カラオケ演奏時には楽曲データの歌詞トラックの文字コードデータを文字パターンを展開し、ＩＣＭ再生時にはＩＣＭデータの文字表示トラックの文字コードデータを文字パターンに展開する。ＬＤチェンジャ２７はカラオケ演奏時およびＩＣＭ再生時に所定の背景映像（動画）を再生する。文字パターン展開部２６が展開した文字パターンおよびＬＤチェンジャが再生した背景映像は表示制御部２８によって合成され、モニタ２９に表示される。
【００２３】
図４は楽曲データおよびＩＣＭデータの例を示す図である。同図（Ａ）は楽曲データ全体の構成を示しており、同図（Ｂ）はトラックの例として楽音トラック中のメロディトラックの構成を示している。楽曲データは、ヘッダ，楽音トラック，歌詞トラック，音声制御トラック，ＤＳＰ制御トラックからなっている。ヘッダは、この楽曲データに関する種々のデータが書き込まれる部分であり、曲名，ジャンル，発売日，曲の演奏時間（長さ）などのデータを含んでいる。
【００２４】
楽音トラック，歌詞トラック，音声制御トラック，ＤＳＰ制御トラックの各トラックは全て同図（Ｂ）に示すようなＭＩＤＩフォーマットで記述されている。ＭＩＤＩフォーマットは、複数のイベントデータと各イベントデータ間の時間間隔を示すデュレーションデータΔｔからなっている。シーケンスプログラムは、所定のテンポクロックでΔｔをカウントし、Δｔをカウントアップしたときこれに続くイベントデータを読み出して所定の処理部へ出力する。
【００２５】
楽音トラックは、メロディトラック，リズムトラックを初めとして種々のパートのトラックを含んでいる。楽音トラックのイベントデータは楽音の発音（ノートオンイベント）や楽音の消音（ノートオフイベント）データなどであり、各イベントデータはイベント種類（ノートオン，ノートオフ，音色変更など），ノートナンバ（音高），ベロシティなどで構成されている。
【００２６】
歌詞トラックは、モニタ２９上に歌詞を表示するためのシーケンスデータを記憶したトラックである。このシーケンスデータは楽音データではないが、インプリメンテーションの統一をとり、作業工程を容易にするためこのトラックもＭＩＤＩデータ形式のシステム・エクスクルーシブ・メッセージで記述されている。音声制御トラックは、音声データ部に記憶されている音声データの発生タイミングや再生ピッチなどを指定するシーケンストラックである。音声データ部には、音源１９で合成しにくいバックコーラスやハーモニー歌唱などの人声が記憶されている。ＤＳＰ制御トラックには、ＤＳＰ２１の動作を制御するＤＳＰ制御データがデュレーションデータとともに書き込まれている。
【００２７】
同図（Ｃ）はＩＣＭデータの構成を示す図である。ＩＣＭの再生はカラオケの楽曲データの演奏と同じ機能部（音源１９，音声データ処理部２０，パターン展開部２６など）を用いて実行されるため、ＩＣＭデータはほぼカラオケ楽曲データと同じように構成されている。すなわち、ＢＧＭトラックが（楽曲データの）楽音トラックに対応し、表示トラックが歌詞トラックに対応し、アナウンス制御トラックが音声制御トラックに対応し、ＤＳＰ制御トラックが効果制御トラックに対応している。音声データはアナウンスの音声を断片に分割して記憶したものである。この断片の音声データを所定の順序で組み合わせることにより、アナウンスが構成される。なお、ＩＣＭデータのヘッダには、このＩＣＭデータを識別するＩＣＭ番号とこのＩＣＭを選択抽出するための上記選択データが書き込まれている。
【００２８】
図５は端末装置（ローカルホスト４または通信カラオケ装置７）および配信センタ１のダウンロード動作を示すフローチャートである。同図（Ａ）において、端末装置は配信センタ１と回線を接続すると、まず、配信センタ１に対して自己の端末形態データ（この端末装置が設置されている店舗の形態を示すデータ）を送信する（ｓ１）。これに応じて配信センタ１が共通データおよび対応する形態別データを送信してくるため、この共通データおよび形態別データを受信して（ｓ２，ｓ３）、これを記憶装置に記憶する。通信カラオケ装置７が直接配信センタ１と通信する場合にはハードディスク１７にこれを書き込めばよく、ローカルホスト４が配信センタ１と通信する場合には内蔵しているハードディスクや半導体メモリなどの記憶手段にこれを記憶すればよい。
【００２９】
また、同図（Ｂ）において、配信センタ１は、端末装置から通信回線が接続されると、まず端末装置からその端末装置の端末形態データを受信する（ｓ５）。この端末形態データの受信ののち、当該端末装置に対して共通データおよび該端末装置の設置形態に適した形態別データをダウンロード（送信）する（ｓ６，ｓ７）。
【００３０】
このように、通信カラオケ装置やローカルホストなどの端末装置は、該端末装置が設置されている店舗（または家庭）の形態に適したデータのみを選択してダウンロードするため、配信センタ１に多くのデータが登録されていてもそのうち必要なもののみをダウンロードできるため、通信効率を向上し、記憶手段の容量を節約することができる。
【００３１】
図６は、ＩＣＭ再生のスケジュールテーブルを示す図である。このスケジュールテーブルは各通信カラオケ装置７に記憶されているものであり、カラオケ曲がリクエストされない曲間のどの順序でＩＣＭを再生するかを指定するものである。同図のスケジュールテーブルはカラオケボックスのスケジュールテーブルの例であり、昼間は主婦の顧客が多く、平日の夜間は若者の顧客が多く、週末の夜間はサラリーマンの顧客が多いことに基づいてスケジュールが作成されている。
【００３２】
このようにスケジュールは、ＩＣＭ番号を直接指定する場合もあり、選択データを示して該当するＩＣＭデータを抽出させる場合もある。この場合でも、ダウンロード時に当該端末形態向けのデータのみがダウンロードされているため、選択データとこの端末形態とで２重の選択がされていることになり、常に的確なＩＣＭデータを選択することができる。
【００３３】
なお、端末形態データを選択データに含めることにより、配信センタ１から全てのＩＣＭデータをダウンロードし、端末装置側でこれを識別するようにすることもできる。
【００３４】
図７はＩＣＭ再生プログラムを示すフローチャートである。カラオケ演奏が終了し、次のカラオケ曲の予約がないとき、すなわち、曲間にこの動作が実行される。この動作がスタートすると、そのときのポインタに基づいてスケジュールテーブルを参照し（ｓ１０）、スケジュールを読み出す。スケジュールがＩＣＭ番号であるか選択データであるかをｓ１１で判断する。ＩＣＭ番号の場合には、その番号で指定されるＩＣＭデータをハードディスク１７からＲＡＭ１２に読み出す（ｓ１２）。一方、選択データの場合には、その選択データに該当するデータを検索し（ｓ１３）、最も適当なものをハードディスク１７からＲＡＭ１２に読み出す（ｓ１４）。
【００３５】
ｓ１５では読み出されたデータに基づいてシーケンス動作を実行することによりＩＣＭを再生する（ｓ１５）。この動作をこのＩＣＭデータが終了するか（ｓ１６）、新たなカラオケ曲の予約が入力される（ｓ１７）まで継続する。ＩＣＭデータ終了してまだ次のカラオケ曲の予約がない場合には（ｓ１６）、ポインタを歩進して（ｓ１８）、次のＩＣＭデータの読み出しに進む（ｓ１０）。一方、カラオケ曲の予約が入力された場合には、ＩＣＭ再生の途中であっても直ちに再生を打ち切り（ｓ１９）、カラオケ演奏動作に進む。
【００３６】
また、ＩＣＭデータのうち前記編集可データは、端末装置（ローカルホストまたは通信カラオケ装置）でデータを付加して編集することができる。以下、この編集動作を説明する。この実施形態では、ローカルホスト４に入力装置５が接続されており、ローカルホスト４においてＩＣＭデータの編集を行う。入力装置５は、キーボードやマウスなどパーソナルコンピュータに付属する入力デバイスでもよく、また、スキャナやカメラなどの画像入力装置を用いて画像を入力するようにしてもよい。
【００３７】
図８にカメラを用いた入力装置の例を示す。この入力装置は、シートに描かれた画像をカメラから入力する装置である。回転ドラム４０は複数の撮影用シード４１を内側に保持する。この回転ドラム４０の内側にはカメラ４２およびライト４３が設けられている。カメラ４２およびライト４３は同一方向に向けて設置されており、回転ドラム４０に保持された複数の撮影用シート４１のうち１枚を証明・撮影するように設置されている。回転ドラム４０はモータ４４を含む駆動装置４５の駆動により、撮影用シート４１の１枚分の角度ずつステップ的に回転する。画像の取り込みは、編集可データを再生しながら、これに同期して撮影用シート４１をカメラ４２で撮影することによって行えばよい。たとえば、再生されるＩＣＭの１シーン毎に１枚の撮影用シート（画像）４１を用い、シーンが進むと回転ドラム４０を１ステップ回転させて次の撮影用シート４１をカメラ４２の視野に入れるようにする。これによって撮影された複数の画像をハードディスク１７の画像記憶エリア１７ｃに記憶し、複数の撮影用シート４１を用いてスライドショーをすることができ、各画像の切換タイミングをＩＣＭデータのトラックに書き込んでおくことにより、ＩＣＭデータを再生しながらスライドショーをすることができる。各画像はこの店舗の外観や店長の顔写真など該店舗が独自に作成したものを用いることができるため、店舗独自の画像を用いたＩＣＭを再生することができる。
【００３８】
図９は上記入力装置を用いてＩＣＭデータに背景映像を付加する映像編集動作を示すフローチャートである。上記実施形態において、この動作はローカルホスト４が実行する。まず、ｓ２１で編集するＩＣＭデータの選択を受け付ける。選択されたＩＣＭデータを記憶手段（カラオケ装置７の場合にはハードディスク１７）から読み出し（ｓ２２）、このデータを再生する。再生と並行して前記入力装置５から映像を入力する（ｓ２４）。したがって、モニタ２９には再生されるＩＣＭデータの文字データと入力された画像とが合成されて表示される（ｓ２５）。ＩＣＭデータの終了マークが読み出されるまでｓ２３以下の動作を実行する。この間、シーンが変わる毎に入力装置の画像が（係員の作業で）切り換えられてゆき、複数の画像が入力される。終了マークが読み出されると、カメラ４２から入力された画像データを記憶手段に格納する（ｓ２７）。そして、この画像をＢＧＶとして用いるようにＩＣＭデータのヘッダおよびトラックを編集する（ｓ２８）。編集を終えたＩＣＭデータを記憶手段の元のエリアに再格納して（ｓ２９）、動作を終える。
【００３９】
このように、配信センタ１からダウンロードされてきたＩＣＭデータに店舗独自の画像を付加して編集することができる。これにより、配信センタ１は最大公約数的なＩＣＭデータを作成しておくのみでよく、全ての端末装置に対してそのデータをダウンロードすればよく簡略である。
【００４０】
また、ＩＣＭデータに背景映像を付加するのみでなく、各トラックの内容を編集することもできる。図１０，図１１は文字を表示するための表示トラック（図４（Ｃ）参照）を編集可能なＩＣＭデータおよびその編集例を示す。この例では、配信センタが、表示すべき文字の一部をあらかじめ空欄にしたＩＣＭデータを作成し、端末装置側がこの文字を補充するようにしている。図１１（Ａ）に示すように、文字が空欄になっている部分には文字表示イベントデータに変えて編集マークが書き込まれている。なお、この動作では入力装置としてキーボードやマウスなどパーソナルコンピュータに通常付属している入力装置を用いればよい。
【００４１】
図１０のフローチャートにおいて、まず、編集するＩＣＭデータを選択する（ｓ３１）。選択されたデータを記憶手段（ハードディスク１７）から読み出し（ｓ３２）、ここのデータの再生を開始する（ｓ３３）。編集マークまたは終了マークが読み出されるまで（ｓ３４，ｓ３５）、データの再生を継続する。編集マークが読み出されると（ｓ３４）、再生を一旦停止し、操作者の入力を受け付ける（ｓ３７）。文字トラックで編集マークが挿入されている部分は、画面上では図１１（Ｂ）の＿（アンダーライン）の部分が編集マークの部分である。同図の画面表示はこのアンダーラインの部分毎に停止するため、係員が「６」時を入力し、「１００」円を入力し、さらに「店舗の名称」と「電話番号」を入力すると（ｓ３７）、それぞれのデータが編集マークに代えて文字トラックに書き込まれる（ｓ３８）。全ての画面についてこの操作が終了すると、このＩＣＭデータが終了し終了マークが読み出される（ｓ３５）。終了マークが読み出されるとこのデータを記憶手段の元のエリアに格納して（ｓ３９）、動作を終える。
【００４２】
このように、文字データを端末装置で入力してＩＣＭデータを完成することができるため、配信センタで作成したＩＣＭデータのアウトラインを端末装置で完成することができ、いわゆるイージーオーダーのように簡略に各店舗独自のＩＣＭを作成することができ、配信センタの負担も軽くすることができる。
【００４３】
なお、入力装置の形態は上記実施形態に限定されない。また、編集するデータは背景映像や文字トラックに限定されない。
【００４４】
また、前記カメラ用いた入力装置で画像を取り込んで記憶手段に蓄積したが、当該ＩＣＭデータの再生中にカメラ４２がリアルタイムに撮影している画像をＢＧＶとして表示するようにしてもよい。この場合、被写体は撮影用シート４１に限定されず、付近の（３６０°）風景などどのようなものでもよい。また、ドラム４０の回転を連続的にすれば途切れのない動画を記憶装置無しで提供することができる。
【００４５】
また、上記実施形態では予め編集可能とされた編集可データを編集するようにしているが、そのままで再生可能な完成データを編集するようにしてもよい。
【図面の簡単な説明】
【００４６】
【図１】この発明の実施形態である通信カラオケ装置を含む通信カラオケ配信システムの構成を示す図
【図２】同通信カラオケ配信システムの配信センタのファイル構成を示す図
【図３】前記通信カラオケ装置のブロック図
【図４】同通信カラオケ装置で用いられる楽曲データおよびＩＣＭデータの構成を示す図
【図５】端末装置（通信カラオケ装置またはローカルホスト）と配信センタ間のＩＣＭデータダウンロード動作を示すフローチャート
【図６】前記通信カラオケ装置のＩＣＭ再生のスケジュールテーブルを示す図
【図７】同通信カラオケ装置のＩＣＭ再生動作を示すフローチャート
【図８】前記端末装置のＩＣＭ編集用データの入力装置の例を示す図
【図９】同端末装置におけるＩＣＭデータ編集動作を示すフローチャート
【図１０】同端末装置におけるＩＣＭデータ編集動作を示すフローチャート
【図１１】編集されるＩＣＭデータの例を示す図
【符号の説明】
【００４７】
１…配信センタ
２…記憶装置
３…通信回線
４…ローカルホスト
５…入力装置
７…通信カラオケ装置
【図１】
2006133805.tif 000003
【図２】
2006133805.tif 000004
【図３】
2006133805.tif 000005
【図４】
2006133805.tif 000006
【図５】
2006133805.tif 000007
【図６】
2006133805.tif 000008
【図７】
2006133805.tif 000009
【図８】
2006133805.tif 000010
【図９】
2006133805.tif 000011
【図１０】
2006133805.tif 000012
【図１１】
2006133805.tif 000013